(57)【要約】【課題】目盛り板上に配置された導光板に入射した光を乱反射するようにして目盛り板を明灯させ、視認性や見栄えを向上させることのできる車両用計器の照明構造を提供する。【解決手段】本発明の車両用計器の照明構造１は、目盛り板上に配置された導光板２と、導光板２の計器中心側の端部に設置された複数の発光ダイオード３とを備え、発光ダイオード３は導光板２の入射面に対して所定の角度で光を入射させるようにして、導光板２に入射した光を乱反射させて目盛り板２を明灯させるようにすることを特徴とする。【選択図】      図１
2006010386.tif 000002
【特許請求の範囲】
【請求項１】
車両に搭載される計器を明灯させる車両用計器の照明構造において、
計器用の目盛り板上に配置された導光板と、
前記導光板の計器中心側の端部に設置された複数の発光手段とを備え、
前記発光手段は前記導光板の入射面に対して所定の角度で光を入射させることを特徴とする車両用計器の照明構造。
【請求項２】
前記導光板の前記入射面は、所定の角度で傾斜し、前記発光手段は、前記導光板の水平面に対して平行となる方向に光を照射することにより、前記導光板の前記入射面に対して所定の角度で光を入射させることを特徴とする請求項１に記載の車両用計器の照明構造。
【請求項３】
前記導光板の前記入射面の反対側の端面にテーパ構造を備えたことを特徴とする請求項１または請求項２のいずれかに記載の車両用計器の照明構造。
【請求項４】
前記テーパ構造が形成された部分の表面側にシボを形成したことを特徴とする請求項３に記載の車両用計器の照明構造。
【発明の詳細な説明】
【技術分野】
【０００１】
本発明は、車両に搭載される速度計などの計器の目盛り部分を明灯させて、見栄えを良くするとともに視認性を向上させる車両用計器の照明構造に関する。
【背景技術】
【０００２】
従来、例えば速度計やタコメータなどの車両用計器では、車両走行時において目盛り板全体を明灯させることにより、指針の視認性を向上させている。このような車両用計器の照明構造の従来例として、例えば特開２００３−３０２２６２号公報（特許文献１）が開示されている。この従来の車両用計器の照明構造では、目盛り板の背面にＬＥＤを設け、このＬＥＤを点灯させることによって目盛り板全体を明灯させていた。
【特許文献１】特開２００３−３０２２６２号公報
【発明の開示】
【発明が解決しようとする課題】
【０００３】
しかしながら、上述した特許文献１に開示された従来例では、目盛り板の背面から光を照射する方式であるので、目盛り板全体をムラなく照明させることが困難であった。
【０００４】
この発明は、このような従来の課題を解決するためになされたものであり、その目的とするところは、目盛り板全体を均一に照明させて見栄えを良くすると共に、視認性を向上させることのできる車両用計器の照明構造を提供することにある。
【課題を解決するための手段】
【０００５】
上記目的を達成するために、請求項１に記載の発明は、車両に搭載される計器を明灯させる車両用計器の照明構造において、計器用の目盛り板上に配置された導光板と、前記導光板の計器中心側の端部に設置された複数の発光手段とを備え、前記発光手段は前記導光板の入射面に対して所定の角度で光を入射させることを特徴とする。
【０００６】
請求項２に記載の発明は、前記導光板の前記入射面は、所定の角度で傾斜し、前記発光手段は、前記導光板の水平面に対して平行となる方向に光を照射することにより、前記導光板の前記入射面に対して所定の角度で光を入射させることを特徴とする。
【０００７】
請求項３に記載の発明は、前記導光板の前記入射面の反対側の端面にテーパ構造を備えたことを特徴とする。
【０００８】
請求項４に記載の発明は、前記テーパ構造が形成された部分の表面側にシボを形成したことを特徴とする。
【発明の効果】
【０００９】
請求項１の発明によれば、発光手段からの光を導光板の入射面に対して所定の角度で入射させるので、入射した光が導光板の中で乱反射して輝度を強くすることができ、これによって目盛り板全体を均一に照明させて見栄えを良くするとともに、視認性を向上させることができる。
【００１０】
請求項２の発明によれば、導光板の光入射面を所定の角度で傾斜させた構造とし、導光板の水平方向に対して平行となる向きに発光手段を設置するので、発光手段の取り付けレイアウトを容易に行うことができる。
【００１１】
請求項３の発明によれば、導光板の、入射面と反対側となる端面の裏面側をテーパ構造としたので、このテーパ構造の部分で光を乱反射させて導光板の外周部を明るく明灯させることができ、これによって見栄えを極めて良くすることができる。
【００１２】
請求項４の発明によれば、テーパ構造が形成された部分の表面側にシボを形成したので、テーパ構造により乱反射された光をさらに増幅させることができ、これによって導光板の外周部を明るく明灯させて見栄えを極めて良くすることができる。
【発明を実施するための最良の形態】
【００１３】
以下、本発明の第１の実施形態を図面に基づいて説明する。図１は本発明に係る車両用計器の照明構造を示す正面図である。図２は図１のＡ−Ａ線における断面図である。図１及び図２に示すように、本実施形態に係る車両用計器の照明構造１は、速度計やタコメータなどの計器用の目盛り板上に配置された導光板２と、この導光板２の計器中心側の端部に設置された複数の発光ダイオード（発光手段）３とを備えている。
【００１４】
ここで、導光板２は、速度を目盛りとして表示した目盛り板上に配置され、光を透過する材料、例えばアクリル板によって形成されている。導光板２としてアクリル板を使用すると、発光ダイオード３より出射される光を効率よく外周側（入射面と反対となる端面側）へ導いて目盛り板を明るく照らすことができ、これによって目盛り全体を均一に照明して見栄えを良くするとともに、視認性を向上させることができる。
【００１５】
発光ダイオード３は、導光板２の計器中心側の端部に設置された発光手段であり、図１に示すように複数設置されている。そして、発光することによって導光板２に光を照射しており、導光板２の水平面に対して所定の角度をもって光が入射するようになされている。ここで、本実施形態に係る照明構造では、図２の拡大部分に示すように、導光板２の計器中心側の端面（入射面）は所定の角度で傾斜した構成を有しており、従って、発光ダイオード３からの出射光を導光板２の水平面に対して平行に出射することにより、入射面に対して出射光が所定の角度をもって入射することになる。
【００１６】
なお、本発明では、導光板２の入射面に対して所定の角度を持って発光ダイオード３からの光が入射すれば良いので、入射面をフラットな面、即ち、傾斜を持たない面とし、発光ダイオード３から出射される光の向きがフラットな入射面に対して所定の角度を持つようにしても良い。
【００１７】
そして、上述のように、発光ダイオード３から出射される光を導光板２に対して所定の角度で入射させるようにすると、図３に示すように導光板２に入射した光が導光板２の中で乱反射して輝度を強くすることができる。これによって、例えば導光板２に平行に光を入射させた場合には発光ダイオードが１８個必要であったのに対して、所定の角度で入射させた場合には１０個の発光ダイオードで十分な明るさを得ることができる。従って、装置の小型化やコストダウン、メンテナンスの簡素化、省電力化を図ることができるようになる。
【００１８】
上述したように、本実施形態に係る車両用計器の照明構造１では、発光ダイオード３から出射された光を導光板２に対して所定の角度で入射させるようにしたので、入射した光が導光板２の中で乱反射して輝度を強くすることができ、これによって目盛り全体を均一に照明して見栄えを良くするとともに、視認性を向上させることができる。
【００１９】
また、導光板２の入射面を傾斜させた構成とし、発光ダイオード３から出射される光の向きが導光板２の水平方向と一致するように配置することで、出射光と入射面とが所定の角度を持つようにしているので、取り付けのレイアウトを容易にすることができる。
【００２０】
更に、本実施形態の照明構造１を適用する計器を車両に搭載される速度計あるいはタコメータにすると、運転者が最も頻繁に見る計器の見栄えを良くするとともに視認性を向上させることができるので、より効果的である。
【００２１】
次に、本発明の第２の実施形態を図面に基づいて説明する。ここで、本実施形態に係る車両用計器の照明構造を示す正面図は図１と同様になるので省略し、図１におけるＡ−Ａ線の断面図のみを図４に示す。同図に示すように、本実施形態に係る車両用計器の照明構造１１は、速度計やタコメータなどの計器用の目盛り板上に配置された導光板１２と、この導光板１２の計器中心側の端部に設置された複数の発光ダイオード（発光手段）１３とを備えている。
【００２２】
ここで、導光板１２は、速度を目盛りとして表示した目盛り板上に配置され、光を透過する材料、例えばアクリル板によって形成されている。このように導光板としてアクリル板を使用すると、発光ダイオード１３による光を効率よく外周側へ導いて目盛り板を均一且つ明るく照らすことができ、これによって見栄えを良くするとともに、視認性を向上させることができる。
【００２３】
発光ダイオード１３は、導光板１２の計器中心側の端部に設置された発光手段であり、図１に示すように複数設置されている。そして、発光することによって導光板１２に光を照射している。
【００２４】
本実施形態では、第１の実施形態で説明したように発光ダイオード１３からの光を所定の角度で導光板１２に入射させる構成とする。
【００２５】
このような構成の車両用計器の照明構造１１において、導光板１２の外周側の端面（入射面と反対側の端面）がテーパ構造となっている。例えば、図４の拡大部分に示すように、本実施形態では導光板１２の外周側の端面の裏面側をテーパ構造１５にしている。
【００２６】
このように、導光板１２の外周側の端面を、テーパ構造１５とすると、導光板１２の外周部で光が乱反射して導光板１２の外周部を明るく明灯させることができ、これによって目盛り板全体を均一に照明することができ見栄えを極めて良くすることが可能になる。
【００２７】
更に、テーパ構造１５が形成された部分の表面側に、シボ加工をしてシボ１６を形成すると、テーパ構造１５で乱反射された光を増幅させて導光板１２の外周部を明るく明灯させることができ、これによってより一層見栄えを良くすることが可能になる。また、シボ１６を形成したことにより、どのような角度から見ても導光板１２の外周部を明るく見えるようにすることができる。
【００２８】
上述したように、本実施形態に係る車両用計器の照明構造１１では、導光板１２の外周側の端面をテーパ構造１５としたので、導光板１２の外周部で光を乱反射させて明るく且つ均一に明灯させることができ、これによって見栄えを極めて良くすることが可能になる。
【００２９】
更に、テーパ構造１５が形成された部分の表面側にシボ１６を形成したので、テーパ構造１５により乱反射された光をより一層増幅させることができ、これによって導光板１２の外周部をより明るく明灯させて見栄えを極めて良くすることが可能になる。
【００３０】
また、本実施形態の照明構造１１を適用する計器を車両に搭載される速度計あるいはタコメータにすると、運転者が最も頻繁に見る計器の見栄えを良くするとともに視認性を向上させることができるので、より効果的である。
【００３１】
以上、本発明の車両用計器の照明構造について、図示した実施形態に基づいて説明したが、本発明はこれに限定されるものではなく、各部の構成は同様の機能を有する任意の構成のものに置き換えることができる。
【００３２】
例えば、上述した実施形態では、発光手段として発光ダイオードを例にして説明したが、その他の発光手段を利用することも可能である。また、発光ダイオードの数は任意に設定することが可能である。
【産業上の利用可能性】
【００３３】
速度計やタコメータなどの車両用計器を均一且つ効率良く明灯させる上で極めて有用である。
【図面の簡単な説明】
【００３４】
【図１】本発明の第１の実施形態に係る車両用計器の照明構造の構成を示す平面図である。
【図２】本発明の第１の実施形態に係る車両用計器の照明構造の図１におけるＡ−Ａ線の断面図である。
【図３】本発明の第１の実施形態に係る車両用計器の照明構造による光の乱反射を説明するための図である。
【図４】本発明の第２の実施形態に係る車両用計器の照明構造の図１におけるＡ−Ａ線の断面図である。
【符号の説明】
【００３５】
１、１１  車両用計器の照明構造
２、１２  導光板
３、１３  発光ダイオード（発光手段）
１５  テーパ構造
１６  シボ
【図１】
2006010386.tif 000003
【図２】
2006010386.tif 000004
【図３】
2006010386.tif 000005
【図４】
2006010386.tif 000006